(57)【要約】【課題】複数種類の接続形式に対応した電子機器を提供する。【解決手段】電子機器１００は、下部筐体１と、下部筐体１内で回動可能に支持されたコネクタ端子実装基板１１３と、コネクタ端子実装基板１１３に所定の距離を離れて固定された複数のコネクタ端子１００Ａ〜１００Ｄと、下部筐体１に設けられ、コネクタ端子実装基板１１３の回動により複数のコネクタ端子１００Ａ〜１００Ｄのうち少なくとも１つのコネクタを露出する開口部１００Ａとを有する。【選択図】図２
2009258843.tif 000002
【特許請求の範囲】
【請求項１】
筐体と、
前記筐体内で回動可能に支持された基板と、
前記基板に所定の距離を離れて固定された複数のコネクタ端子と、
前記筐体に設けられ、前記基板の回動により前記複数のコネクタ端子のうちの少なくとも１つのコネクタ端子を露出する開口部と
を有することを特徴とする電子機器。
【請求項２】
前記筐体は、連続する２つの側面を有し、
前記開口部は、前記夫々の側面に少なくとも１つ設けられることを特徴とする請求項１に記載の電子機器。
【請求項３】
前記筐体に収容され、かつ前記基板と電気的に接続されたたシステム基板を更に有し、
前記基板と前記システム基板とは平行に設けられていることを特徴とする請求項２に記載の電子機器。
【請求項４】
前記基板は、前記筐体に回動可能に支持されるコネクタ端子選択部に固定されることで前記筐体に対して回動可能に支持され、前記コネクタ端子選択部の回動操作に伴って回動することを特徴とする請求項３に記載の電子機器。
【請求項５】
前記基板は、前記複数のコネクタ端子の少なくとも１つが前記開口部に露出する位置ごとに回動を停止して位置固定されることを特徴とする請求項４に記載の電子機器。
【請求項６】
前記コネクタ端子は、前記開口部に露出することで前記開口部を塞ぐことを特徴とする請求項５に記載の電子機器。
【発明の詳細な説明】
【技術分野】
【０００１】
本発明は、電子機器に関する。
【背景技術】
【０００２】
従来、複数の外部メモリを着脱可能に装着し、順次切り替えて再生する電子機器が知られている（例えば、特許文献１参照）。
【０００３】
この電子機器は、外部メモリと接続されるコネクタと、複数の外部メモリを収納するケースとを有し、ケースは、筐体に対して回転可能に取り付けられ、回転することで複数の外部メモリのうちの１つを順次コネクタに接続させるため、外部メモリの接続切替動作の度に外部メモリの交換作業を必要としない。
【特許文献１】特開平６−８４３４２号公報
【発明の開示】
【発明が解決しようとする課題】
【０００４】
しかし、従来の電子機器によると、接続対象としての複数の外部メモリを本体内のケースに収納するため、電子機器内に外部メモリを収納するだけのスペースが必要となり、装置の小型化や薄型化に適していないという問題がある。また、同一の接続形式を有する接続対象を複数搭載し、接続可能な端子は１種類のみであるため、複数種類の接続形式に対応できないという問題がある。
【０００５】
従って、本発明の目的は、複数種類の接続形式に対応する電子機器を提供することにある。
【課題を解決するための手段】
【０００６】
（１）本発明は上記目的を達成するため、筐体と、前記筐体内で回動可能に支持された基板と、前記基板に所定の距離を離れて固定された複数のコネクタ端子と、前記筐体に設けられ、前記基板の回動により前記複数のコネクタ端子のうちの少なくとも１つのコネクタ端子を露出する開口部とを有することを特徴とする電子機器を提供する。
【０００７】
上記した構成によれば、複数のコネクタ端子を選択的に開口部に露出させることができるため、複数種類の接続形式に対応することができ、接続対象を内蔵しないため装置の小型化に適した構造を達成できる。
【発明の効果】
【０００８】
本発明によれば、複数種類の接続形式に対応することができる。
【発明を実施するための最良の形態】
【０００９】
以下に、本発明の電子機器の実施の形態を、図面を参照して詳細に説明する。
【００１０】
（電子機器の構成）
図１は、本発明の実施の形態に係る電子機器の外観を示す概略図である。
【００１１】
この電子機器１００は、下部筐体１と上部筐体２とから構成され、上部筐体２と下部筐体１とはヒンジ部３により開閉自在に接続されている。下部筐体１は、ＣＰＵ（Ｃｅｎｔｒａｌ  Ｐｒｏｃｅｓｓｉｎｇ  Ｕｎｉｔ）やメモリ等の電子部品を実装するとともにＨＤＤ（Ｈａｒｄ  Ｄｉｓｃ  Ｄｒｉｖｅ）等をコネクタを介して接続するシステム基板１３０（後述）を内部に収容しており、文字やコマンドを入力するためのキーボード１５と、ポインティングデバイスとしてのタッチパッド１６とを上面１ｃに有する。また、下部筐体１は、電子機器１００に外部機器を接続するためのＵＳＢ（Ｕｎｉｖｅｒｓａｌ  Ｓｅｒｉａｌ  Ｂｕｓ）やＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等の規格で定められた形状を有するコネクタ１０Ａを右側面１ａに、またコネクタ１０Ｂを前側面１ｂに有する。コネクタ１０Ａ及び１０Ｂに露出するコネクタ端子は、コネクタ端子選択部１１を回転させることで他のコネクタ端子に切り替えることができる。また、コネクタ端子は、システム基板１３０と別体のコネクタ端子実装基板１１３（後述）に実装される。上部筐体２は、文字や画像等を表示する液晶表示パネル等からなる表示部２０を有する。
【００１２】
図２は、本発明の実施の形態に係る電子機器のコネクタ及びコネクタ端子選択部の構成の一部を部分的に示す断面図である。なお、一部断面は、図１のＡ−Ａにおける断面である。
【００１３】
下部筐体１は、コネクタ端子実装基板１１３とシステム基板１３０とを有し、それぞれ基板間接続ケーブル１２０によって接続される。コネクタ端子実装基板１１３は、略円形状を有しており、その中心部を選択操作部１１０の回転軸１１１に固定され、基板上面１１３ａにはコネクタ端子１００Ａ、１００Ｃ、及び図示しないコネクタ端子１００Ｂ、１００Ｄがそれぞれ所定の距離を離れて、例えば、９０°間隔で実装される。回転軸１１１は、下部筐体１の軸受部１１２に回動可能に固定される。
【００１４】
コネクタ１０Ａは、下部筐体１の右側面１ａに設けられる筐体開口部１０１Ａと筐体開口部１０１Ａに露出するコネクタ端子１００Ａとからなり、下部筐体１の上面１ｃに設けられる選択操作部１１０を操作してコネクタ端子実装基板１１３を回動させることでコネクタ端子１００Ａは、他のコネクタ端子１００Ｂ〜１００Ｄに切り替わる。
【００１５】
システム基板１３０は、電子機器１００の下部筐体１内の大半を占めるメイン基板でありＣＰＵ、ノースブリッジ、サウスブリッジのチップ等を実装し、サウスブリッジから基板間接続ケーブル１２０を介してコネクタ端子実装基板１１３と電気的に接続される。
【００１６】
基板間接続ケーブル１２０は、コネクタ端子実装基板１１３の接続端子に接続されるケーブルコネクタ１２１とシステム基板１３０の接続端子に接続されるケーブルコネクタ１２２とを有し、軸受部１１２の開口部１１２ａを介して配線される。
【００１７】
図３は、本発明の実施の形態に係る電子機器のコネクタ及びコネクタ端子選択部の構成を部分的に示す下部筐体のＡ−Ａにおける断面図である。
【００１８】
コネクタ端子実装基板１１３は、ガラスエポキシ基板等であり、システム基板１３０に対して平行になるように回転軸１１１に固定されることで軸受部１１２（下部筐体１）に対して回動可能に支持される。コネクタ端子１００Ａ〜１００Ｄは、コネクタ端子実装基板１１３の基板上面１１３ａに実装されており、コネクタ端子実装基板１１３に設けられたプリント配線（図示せず）を介してケーブルコネクタ１２１と電気的に接続される。ケーブルコネクタ１２１は、コネクタ端子実装基板１１３の基板下面１１３ｂに接続されており、基板間接続ケーブル１２０は、軸受部１１２と下部筐体１の下面１ｄとの間に設けられた開口部１１２ａを介して配線される。
【００１９】
図４（ａ）〜（ｃ）は、本発明の実施の形態に係る電子機器のコネクタ及びコネクタ端子選択部の構成を部分的に示す下部筐体のＡ−Ａの方向と直交する方向の断面図である。
【００２０】
コネクタ端子１００Ａ〜１００Ｄは、コネクタ端子実装基板１１３に９０°間隔で実装される。また、軸受部１１２と回転軸１１１の接触部には、各コネクタ端子１００Ａ〜１００Ｄが各筐体開口部１００Ａ又は１００Ｂに一致する位置に配置されるように、９０°間隔で回動するようにラッチ等が設けられる（図示せず）。また、コネクタ端子実装基板１１３の回動によって基板間接続ケーブル１２０に断線や捩れが生じないよう、左右各１８０°以上回転しないよう制限が設けられる。
【００２１】
（動作）
以下に、本発明の実施の形態における電子機器の動作を各図を参照しつつ説明する。
【００２２】
コネクタ端子選択部１１の選択操作部１１０が利用者によって回動操作されると、回転軸１１１が軸受部１１２に支持されて回動する。また、回転軸１１１の回動とともに回転軸１１１に固定されるコネクタ端子実装基板１１３が回動し、コネクタ端子１００Ａ〜１００Ｄが回転移動する。また、回転軸１１１は、コネクタ端子１００Ａ〜１００Ｄのいずれかが筐体開口部１０１Ａ又は１０１Ｂに露出する位置において軸受部１１２に設けられたラッチが嵌合して位置固定される。
【００２３】
選択操作部１１０を操作することにより、例えば、図４（ａ）に示す状態からコネクタ端子実装基板１１３を時計方向に１８０°回動すると、図４（ｂ）に示すように、筐体開口部１０１Ａ及び１０１Ｂに露出するコネクタ端子がそれぞれコネクタ端子１００Ｃ及び１００Ｄに入れ替わり、コネクタ１０Ａ及び１０Ｂのコネクタ端子の接続種類が変更される。利用者は、所望のコネクタ端子を選択した後、外部機器のコネクタ端子をコネクタ１０Ａ又は１０Ｂに挿入して装着する。
【００２４】
また、選択操作部１１０を操作することにより、例えば、図４（ａ）に示す状態からコネクタ端子実装基板１１３を半時計方向に９０°回動すると、図４（ｃ）に示すように筐体開口部１０１Ａ及び１０１Ｂに露出するコネクタ端子がそれぞれコネクタ端子１００Ｂ及び１００Ｃに入れ替わり、コネクタ１０Ａ及び１０Ｂのコネクタ端子の接続種類が変更される。
【００２５】
（実施の形態の効果）
上記した実施の形態によると、回転動作によって筐体開口部１０１Ａ及び１０１Ｂに露出するコネクタ端子１００Ａ〜１００Ｄを切り替えることができるため、複数のコネクタ端子１００Ａ〜１００Ｄのうちから所望の接続形式のコネクタ端子を選択することができる。
【００２６】
また、通常、システム基板１３０と別体の基板上に実装されて、例えば右側面１ａに複数設けられていたコネクタ端子を、連続する２つの側面である右側面１ａ及び前側面１ｂの角部に集中させて配置する構成にしたため、右側面１ａ及び前側面１ｂの角部以外の下部筐体１の設計がコネクタ端子配置のために制限されることがなく、設計の自由度が向上する。
【００２７】
なお、コネクタ端子実装基板１１３は、４つのコネクタ端子に限らず、２つ以上の複数のコネクタ端子を実装すればよい。その際、各コネクタ端子のコネクタ端子実装基板に対する配置は、筐体開口部の配置位置に合わせる。
【００２８】
また、下部筐体１は、２つの筐体開口部に限らず、少なくとも１つ設ければよい。また、各筐体開口部から複数のコネクタ端子を露出させる構成にしてもよい。さらに、コネクタ端子は、筐体開口部から露出する際に筐体外部方向へ突出する構成にしてもよい。
【００２９】
また、コネクタ端子実装基板１１３は、回動可能に設置されていれば円形状に限らず略多角形状等、その形状は問わない。また、コネクタ端子として、モデムジャックやＬＡＮポート等を設けてもよい。また、コネクタ端子として、筐体開口部を塞ぐキャップ状の蓋を配置して、下部筐体１内への埃や水分等の侵入防止として機能させてもよい。
【００３０】
また、システム基板１３０とコネクタ端子実装基板１１３とは、基板間接続ケーブル１２０を用いずに、無線により通信するよう構成してもよい。
【図面の簡単な説明】
【００３１】
【図１】本発明の実施の形態に係る電子機器の外観を示す概略図である。
【図２】本発明の実施の形態に係る電子機器のコネクタ及びコネクタ端子選択部の構成の一部を部分的に示す断面図である。
【図３】本発明の実施の形態に係る電子機器のコネクタ及びコネクタ端子選択部の構成を部分的に示す下部筐体のＡ−Ａにおける断面図である。
【図４】（ａ）〜（ｃ）は、本発明の実施の形態に係る電子機器のコネクタ及びコネクタ端子選択部の構成を部分的に示す下部筐体のＡ−Ａの方向と直交する方向の断面図である。
【符号の説明】
【００３２】
１…下部筐体、１ａ…右側面、１ｂ…前側面、１ｃ…上面、１ｄ…下面、１…特許文献、２…上部筐体、３…ヒンジ部、１０Ａ…コネクタ、１０Ｂ…コネクタ、１１…コネクタ端子選択部、１５…キーボード、１６…タッチパッド、２０…表示部、１００…電子機器、１００Ａ〜１００Ｄ…コネクタ端子、１０１Ａ…筐体開口部、１１０…選択操作部、１１１…回転軸、１１２…軸受部、１１２ａ…開口部、１１３…コネクタ端子実装基板、１１３ａ…基板上面、１１３ｂ…基板下面、１２０…基板間接続ケーブル、１２１…ケーブルコネクタ、１２２…ケーブルコネクタ、１３０…システム基板
【図１】
2009258843.tif 000003
【図２】
2009258843.tif 000004
【図３】
2009258843.tif 000005
【図４】
2009258843.tif 000006